(57)【要約】      （修正有）【課題】精度が高く、正確に判定できるストライク判定の電磁波射出器を提供する。【解決手段】ベース板上方に支柱で支えられボールの直径より短い間隔で電磁波射出口をベース板様に配置し、ボールが電磁波を切る点を測定するセンサーをつける。打者正面に左右がベース板の奥行き、上下が打者の肩から膝下までの長さの長方形の形状に射出口を配置したストライク判定用の電磁波射出器と組み合わせる。【選択図】図１
0003157525.tif 000002
【実用新案登録請求の範囲】
【請求項１】
ベ−ス板の真上に支柱などで支えられた１電磁波射出器からボ−ルの直径７．１５より短い間隔でベ−ス板一周に電磁波を射出し，打者の膝下から肩までの高さで電磁波を通過したことを判定する装置
【請求項２】
［請求項１］の１電磁波射出器に新たに打者正面に２電磁波射出器を置き打者の膝下から肩までの高さで電磁波を７．１５より短い間隔で射出し両者からの電磁波の交わったところをストライゾ−ンとしここをボ−ルが通過したことを判定する装置
【考案の詳細な説明】
【技術分野】
【０００１】この考案は，ベ−ス板の数メ−トル上に設けた１電磁波射出器からボ−ルの直径７．１５より短い間隔で射出したベ−ス板状の電磁波を打者の膝下から肩までのところで球が切ったときストライクと判定するものである。または打者正面と数メ−トル先で相対する２電磁波射出器から打者の膝下から肩までのところで射出した電磁波が１電磁波射出器からの電磁波と交わったところをボ−ルガ通過したしたときストライクと判定するものである。
【背景技術】
【０００２】従来，野球のストライクの判定は人間がしてきた。そのため間違いもあり，もめたりした。もめないまでも，誤審と思いながら諦めて試合をするしかなかった。
【考案の開示】
【考案が解決しょうとする課題】
【０００３】水泳も機械判定になり，万が一のことを考えて人間は補助にまわっている。競馬，競輪にも写真判定が入り込み，相撲でも写真判定が参考までに使われている。野球で機械で正しくストライクが判定できたら，ピッチャ−も打者も，守るチ−ムも攻撃のチ−ムも，フアンも気持がいい。主審の大仰なジェスチャ−を見たい向きには主審に判定器を持たせ，主審は半定器を見てからストライクのジェスチャ−をすればよい。主審はファボ−ルや滑り込みの判定などに必要なのでおいておく。ストライクの判定はもちろん電光掲示板に掲示してよい。正しい判定ができれば野球は一層楽しいものになる。少しの狂いもない判定になれば試合に対する信頼度は完全になり勝ち負けをフアンは素直に信じる。あの一球の判定が逆であったならば試合の展開も変わっていただろうなんてことも考えなくてすむ。
【課題を解決するための手段】
【０００４】２電磁波射出器は捕手がファボ−ルを取りにいったときに邪魔にならないように作動した度に，人の丈より上に吊り上げるかまたは地中に潜らせる。図について説明すると１電磁波射出器からベ−ス板までの線が１電磁波射出器からの電磁波の一部を示す。２電磁波射出器から打者方向の線が２電磁波射出器からの電磁波の一部を示す
打者の膝頭下の高さの面を７が示し，肩の  高さの面を８が示す。この２面の上下の間がストライクゾ−ンとなり，ボ−ルがこのストライクゾ−ンを通るかどおか判定すればよい。１電磁波射出器のみの判定もできる。
【考案の効果】
【０００５】したがって１電磁波射出器のみのときはボ−ルがどの高さで電磁波を切ったか感知すればよく，１電磁波射出器と２電磁波射出器の両者によるときはどちらの電磁波もボ−ルが切ったと感知したときストライクとすればよい。これで厳密な判定ができる。
【考案を実施するための最良の形態】
【０００６】［０００４］に示したような構成が最良の形態である
【図面の簡単な説明】
【０００７】
【図１】本考案の斜視図である。  射出する電磁波は目にできず，目にできない電磁波によって構成されるストライク範囲も目にできない。電磁波の数も多いので図示できないので図は概りゃくを示すものとなる。電磁波の数が多いので線が込み合ってしまい図示できないので言葉で説明します。１電磁波射出器からはボ−ルの直径より短い間隔でベ−ス板に電磁波を２電磁波射出器からは打者の上下のストライクゾ−ンにボ−ルの直径より短い間隔で電磁波を射出するものとする。
【符号の説明】
【０００８】１，２は電磁波射出器        ３は１電磁波射出器の支柱
５はベ−ス板
７は打者の膝下の高さで電磁波による仮想されたベ−ス板を表す
８は打者の肩の高さで電磁波による仮想されたベ−ス板を表す
４，６はバッタ−ボックス
【図１】
0003157525.tif 000003
【手続補正書】
【提出日】平成21年8月4日(2009.8.4)
【手続補正１】
【補正対象書類名】明細書
【補正対象項目名】全文
【補正方法】変更
【補正の内容】
【考案の詳細な説明】
【技術分野】
【０００１】この考案は距離測定のセンサを内臓した電磁波射出器が電磁波を射出しこの射出された電磁波をボ−ルが切ったときセンサで位置を測定しストライクかどうかを判定するストライク判定器に関するものである。
【背景技術】
【０００２】従来，野球のストライクの判定は人間がしてきた。そのため間違いもありもめた。もめないまでも，誤審と思いながら諦めて試合をするしかなかった。一球の判定で試合の結果が逆になるなんてことはざらにある。電磁波射出器によって正確にストライクとボ−ルが判定されれば選手もフアンも試合に納得する。
【考案の開示】
【考案が解決しょうとする課題】
【０００３】人間の勘に頼っていたストライクの判定が本考案の電磁波射出器になれば精度がはるかに高くなり選手もフアンも判定に疑義を持たない
【課題を解決するための手段】
【０００４】打者頭上に支柱で支えられた本考案の電磁波射出器が置かれ射出口はベ−ス版様にに互いにボ−ルの直径７．１５ｃｍより短く配置されている。
ストライクのときはボ−ルは必ずどれかの射出口からの電磁波に触れ，その触れた点を打者の肩から膝下までかをセンサが計る。本考案の電磁波射出器によって正確にストライクが判定される。
打者頭上の電磁波射出器に打者正面の電磁波射出器を合わせ用いた場合は打者の肩と膝下のところにそれぞれベ−ス版様のものができその二つ面を結べば立体ができる。この立体がストライクゾ−ントなりここをボ−ルが通ったときストライクと判定する。
【考案の効果】
【０００５】上述のように本考案でそれは正確にストライクが判定されるので試合の進行も順調に進み試合の結果も正しく理解される。ストライクの判定が正しいので選手もフアンも試合に満足できる。
【手続補正２】
【補正対象書類名】実用新案登録請求の範囲
【補正対象項目名】全文
【補正方法】変更
【補正の内容】
【実用新案登録請求の範囲】
【請求項１】
ベ−ス版上方に支柱で支えられボ−ルの直７．１５ｃｍより短い間隔で電磁波射出口をベ−ス版様に配置，ボ−ルが電磁波を切る点を測定するセンサ−をつけた電磁波射出器
【請求項２】
打者正面に上下がベ−ス板の奥行き，左右が打者の肩から膝下までの長さの長方形の形状に射出口を配置した電磁波射出器とベ−ス板上方の電磁波射出器とを組み合わせたもの
【手続補正書】
【提出日】平成21年10月29日(2009.10.29)
【手続補正１】
【補正対象書類名】実用新案登録請求の範囲
【補正対象項目名】全文
【補正方法】変更
【補正の内容】
【実用新案登録請求の範囲】
【請求項１】
ベ−ス板上方に支柱で支えられボ−ルの直径より短い間隔で電磁波射出口をベ−ス板様に配置し，ボ−ルが電磁波を切る点を測定するセンサ−をつけたストライク判定用の電磁波射出器。
【請求項２】
打者正面に左右がベ−ス板の奥行き，上下が打者の肩から膝下までの長さの長方形の形状に射出口を配置したストライク判定用の電磁波射出器と請求項１に記載のベ−ス板上方の電磁波射出器との組み合わせ。